(57)【特許請求の範囲】
【請求項１】
前面開口した断熱箱体と、この断熱箱体の前面開口を開閉自在に閉塞する扉と、前記断熱箱体底面に設けられた台脚と、前記断熱箱体の下に設けられ、断熱箱体から滴下する結露水を受ける露受皿とよりなる温蔵庫において、
前記断熱箱体の前面下部の台脚に対応する位置には、台脚の幅より広い案内部を形成したことを特徴とする温蔵庫。
【請求項２】
案内部は下部を平坦とした半円状であることを特徴とする請求項１記載の温蔵庫。
【発明の詳細な説明】
【０００１】
【発明の属する技術分野】
本発明は、タオル蒸し器などの温蔵庫に関する。
【０００２】
【従来の技術】
従来この種温蔵庫として、実開昭６０−１２２１４９号（Ａ６１Ｌ２／０４）には、断熱箱体の上部と下部にタオル収納室を形成し、夫々の前面に上段扉、下段扉を設け、同扉のパッキングの下部に夫々露出した穴を設けると共に、下段扉のパッキングの上部に上段扉のパッキングの露出した穴に対向する露受け穴を設け、かつ上段扉の下側に結露水を下段扉のパッキング側に案内するためのガイド板を設けてなることを特徴とするタオル蒸し器が開示されている。
【０００３】
【発明が解決しようとする課題】
上述した様な従来技術では、扉１０１や断熱箱体１０３に付着した結露水Ｃを、前記本体下部に取り付けた露受皿１０２に案内するものである。
【０００４】
然し乍ら、図６に示す如く、露受皿１０２は断熱箱体１０３下面に取り付けられた台脚１０４を回避する形で取り付けられるため、台脚１０４部分から下がってきた結露水は、その下端で後方に回り込み、露受皿１０２と台脚１０４との間から設置床面に滴下してしまう問題があった。
【０００５】
本発明は上述した問題点に鑑みてなされたもので、確実に結露水を露受皿に導くことを目的とした温蔵庫を提供する。
【０００６】
【課題を解決するための手段】
上記目的を達成するための手段として、本発明の請求項１では、前面開口した断熱箱体と、この断熱箱体の前面開口を開閉自在に閉塞する扉と、前記断熱箱体底面に設けられた台脚と、前記断熱箱体の下に設けられ、断熱箱体から滴下する結露水を受ける露受皿とよりなる温蔵庫において、
前記断熱箱体の前面下部の台脚に対応する位置には、台脚の幅より広い案内部を形成した温蔵庫を提供する。
【０００７】
また、請求項２の発明では、案内部は下部を平坦とした半円状である請求項１記載の温蔵庫を提供する。
【０００８】
この様に、半円状の案内部にて台脚部分に結露水が回り込んで、床面にたれてしまう事を極力防止できる。
【０００９】
【発明の実施の形態】
以下、本発明の実施の形態を図面に基づいて説明する。
【００１０】
図１は本発明を具備する温蔵庫の正面図、図２は図１の扉を外した状態の正面図、図３は図２のａ−ａ断面図、図４は図３のｂの要部拡大図、図５は本発明の要部拡大斜視図である。
【００１１】
図１乃至図３において、１はタオル蒸し器などに代表される温蔵庫本体で、この温蔵庫１は、前面に開口２を有する断熱箱体３と、この断熱箱体３の前面開口２を開閉自在に閉塞する断熱扉４とからなるものである。
【００１２】
尚、この断熱扉４の左側には、扉開閉のための把手４Ａが形成されている。
【００１３】
そして、前記断熱箱体３は、内部に収納室５を画成する熱良導性（例えば、ステンレス、アルミニウム）の部材にて形成された内箱６と、この内箱６と所定の間隔を存して設けられ、鋼板にて形成された外箱７と、この外箱７及び内箱６の間に設けられたグラスウールなどの断熱材８とよりなる。
【００１４】
また、前記内箱６の外周面には、収納室５を加熱するための加熱手段として電気ヒータ９が巻回されている。
【００１５】
尚、１０はオシボリなどを収納載置するための収納棚で、１２は電源スイッチ、１３は前記断熱扉４を開閉自在に支持するヒンジである。
【００１６】
更に、前記温蔵庫１の前部の下であって、前記断熱箱体３と断熱扉４に跨る位置には、断熱箱体３の開口２縁や断熱扉４の裏面側に生じる結露水を受ける露受皿１４が設けられている。
【００１７】
また、前記断熱箱体３の開口２縁には、開口２を囲う突部１５が設けられている。そして、この突部１５の底辺１５Ａは中央部に向かって下方傾斜状となっている。
【００１８】
また、図示しないが、前記断熱扉４の裏面には、断熱扉４閉塞時、前記突部１５と当接し、ゴムなどの軟質部材にて形成されたパッキンが設けられている。このパッキンは内部が中空に形成されており、断熱扉４閉塞時の衝撃を吸収すものである。尚、このパッキンも前記突部１５と同様に底辺が中央部に向かって下方傾斜状となっている。
【００１９】
尚、前述した突部１５及びパッキンの傾斜は、前記ヒンジ１３側や断熱扉４の開放端側であっても良い。
【００２０】
この様な突部１５及びパッキンにより、傾斜下端部に断熱扉４の露が集められ、確実に露受皿１４に導入できる。従って、断熱扉４側に大量の結露水が残る事を極力防止し、扉開閉時の結露水の飛び散りを極力防止する事ができる。
【００２１】
以下に本発明の要部を図４及び図５を参照して説明する。
【００２２】
前記断熱箱体３底面の前後左右の四隅には、温蔵庫１を支持する台脚１１が取り付けられている。この四隅に設けられた前記台脚１１の内、前２脚の上方であって、且つ前記断熱箱体３の開口２下縁には、上方に頂部１８Ａが位置し、下部が台脚１１の幅より広い平坦である半円形の案内部１８が設けられている。
【００２３】
そして、この案内部１８は、図４に示す如く、頂部１８Ａが最も前方に突出し、下部の平坦部１８Ｂが奥側に位置して傾斜状を成している。即ち、案内部１８と開口２縁には段差が形成されている事となる。
【００２４】
以上の構成により、断熱箱体３の開口２下縁に生じた結露水は、案内部１８に当たり、段差に従って半円状に左右へ回り込み、下方の露受皿１４に滴下する事となる。
【００２５】
従って、結露水は台脚１１に回り込む事なく、結露水が設置床面にたれてしまう事を極力防止できる。
【００２６】
尚、本実施形態では半円状で説明したが、三角形状であっても良いし、四角形状であっても良い。即ち、頂部１８Ａが前方に突出し段差を形成して、平坦部１８Ｂが台脚１１より広く形成していればどういった形状であっても良い。
【００２７】
更に、前記露受皿１４の上部に空気抜き用の穴、スリットなどを形成すると、露受皿１４にたまる結露水の蒸発を促進する事ができる。
【００２８】
【発明の効果】
以上詳述した如く、本発明によると、半円状の案内部にて台脚部分に結露水が回り込んで、床面にたれてしまう事を極力防止し、確実に結露水を露受皿に導く事ができる。
【図面の簡単な説明】
【図１】本発明を具備する温蔵庫の正面図である。
【図２】図１の扉を外した状態の正面図である。
【図３】図２のａ−ａ断面図である。
【図４】図３のｂの要部拡大図である。
【図５】本発明の要部拡大斜視図である。
【図６】従来技術の温蔵庫台脚部の拡大図である。
【符号の説明】
１  温蔵庫
２  開口
３  断熱箱体
４  断熱扉
１１  台脚
１４  露受皿
１８  案内部
【図１】
0004368000.tif 000002
【図２】
0004368000.tif 000003
【図３】
0004368000.tif 000004
【図４】
0004368000.tif 000005
【図５】
0004368000.tif 000006
【図６】
0004368000.tif 000007